(57)【要約】      （修正有）【課題】ブロウバック振動効果の擬似的再現ができ、取り外しなどの保守を簡便にできる、電動ガンのボルトを提供する。【解決手段】ハウジング１には引金装置２と第１弾性素子６とが内設されている。引金装置２は空気を圧縮するピストンを有する。ピストン２２はその後部端に爪体２３を有する。第１弾性素子６は、ピストン２２を前方に押し込む。ハウジング１の後部端には部品を抜き出して交換に便利を提供するための整備穴１４を設けられ、整備穴１４の外端部に案内チューブ４を接続し、案内チューブ４の内部に撃棒５が取付けられ、撃棒５の先端部５１がピストン２２の爪体２３に対応しており、後部端に釣合重り５３を設け、案内チューブ４には釣合重り５３に作用する第２弾性素子７をさらに設ける。【選択図】図１
0003195670.tif 000002
【実用新案登録請求の範囲】
【請求項１】
電動ガンのボルトであって、
内部にボルトチャンバーを形成し、その後部端は前記ボルトチャンバーに連絡する整備穴を有するハウジングと、
前記ボルトチャンバーに内設しているシリンダーと、
前記シリンダー内設していて前方に空気を圧縮して弾丸を撃発でき、その後部端が整備穴に対応していて、後部端に爪体を有するピストンと、
前記ハウジングの後部端に結合していて、かつ整備穴に連絡する案内チューブと、
前記案内チューブの内部に可動に設けられていて、第１端が整備穴を通過して前記爪体に対応するように前記ボルトチャンバーの内部に位置することによって、前記第１端が爪体に引っ掛けて前方に駆動され、第２端が釣合重りに結合している撃棒と、
前記ボルトチャンバーに内設していて、前記ピストンを前方に押し出し、第１端が前記ピストンに当接して、第２端が前記撃棒に直接的または間接的に当接する第１弾性素子と、
前記案内チューブに内設していて、第１端を案内チューブの後部端に接続し、第２端を前記釣合重りに接続して、前記釣合重りにブロウバックの振動を形成させる第２弾性素子と、を備える
ことを特徴とする電動ガンのボルト。
【請求項２】
請求項１に記載の電動ガンのボルトにおいて、
チューブ状の係止ブッシングを備え、
前記係止ブッシングを前記撃棒の前記第１端の棒体部に装着した状態で前記ボルトチャンバーの内部に位置させ、前記第１弾性素子の前記第２端を前記係止ブッシングに係止する
ことを特徴とする電動ガンのボルト。
【請求項３】
請求項２に記載の電動ガンのボルトにおいて、
前記係止ブッシングの外周部に第１係止部を突設し、コイルばねである前記第１弾性素子を前記係止ブッシングに装着し、前記第１弾性素子の前記第２端を前記第１係止部に当接させる
ことを特徴とする電動ガンのボルト。
【請求項４】
請求項１から請求項３のいずれかに記載の電動ガンのボルトにおいて、
前記釣合重りの前記後部端に収容室を凹設し、前記第２弾性素子の前記第２端を前記収容室の内部に取り付ける
ことを特徴とする電動ガンのボルト。
【請求項５】
請求項４に記載の電動ガンのボルトにおいて、
前記第２弾性素子は引張りばねであり、前記引張りばねの前記第１端を前記案内チューブの前記後部端に接続し、前記引張りばねの前記第２端を前記釣合重りの前記収容室に接続する
ことを特徴とする電動ガンのボルト。
【請求項６】
請求項４に記載の電動ガンのボルトにおいて、
前記第２弾性素子は圧縮ばねであり、前記圧縮ばねの前記第１端を前記案内チューブの前記後部端に接続し、前記圧縮ばねの前記第２端を前記釣合重りの前記収容室に接続する
ことを特徴とする電動ガンのボルト。
【請求項７】
請求項１から請求項６のいずれかに記載の電動ガンのボルトにおいて、
チューブ状のシャフトスリーブを含み、
前記シャフトスリーブは前記ハウジングの前記後部端から取り外せるように前記整備穴の内部に取り付られ、
前記撃棒の前記第１端が前記シャフトスリーブを通過して、前記ボルトチャンバーの内部に位置する
ことを特徴とする電動ガンのボルト。
【請求項８】
請求項１から請求項７のいずれかに記載の電動ガンのボルトにおいて、
前記ハウジングの前記後部端に接続突起部を有し、
前記整備穴が前記接続突起部を貫き、
前記案内チューブの先端部を前記接続突起部に接続する
ことを特徴とする電動ガンのボルト。
【請求項９】
請求項８に記載の電動ガンのボルトにおいて、
前記接続突起部は第１ねじ山を有し、前記案内チューブの先端部に前記第１ねじ山とねじ込み接続する第２ねじ山を有する
ことを特徴とする電動ガンのボルト。
【考案の詳細な説明】
【技術分野】
【０００１】
本考案は電動トイガンのボルト構造に関し、特に射撃するときのブロウバック振動効果を擬似的に再現できると共に、内部の部品が容易に整備交換できるプラスチック弾丸（ＢＢ弾）を発射する電動ガンのボルト構造の改良に関する。
【背景技術】
【０００２】
現在のサバイバルゲーム（Ｗａｒ  Ｇａｍｅ）に使用されているトイガンには、エアガン、ガスガンと、電動ガンがあり、プラスチック弾丸（ＢＢ弾）を射撃するのに提供されている。そのうち、電動ガンの構造例は米国特許ＵＳ８５８５４０７号（特許文献１）、ＵＳ７６９４４４８号（特許文献２）及びＵＳ２０１２０１３８０３８号（特許文献３）などに示すように、その内部に多くの枢軸と歯車素子を取り付けられ、電気モータの動力が枢軸、歯車などの素子を介して、引金装置に伝わって、プラスチック弾丸が射撃される。しかし、電動ガンはそもそも気体を利用して、プラスチック弾丸を射撃するものであるほかに、プラスチック弾丸の重量は０．１２ｇ〜１ｇで非常に軽いことから、プラスチック弾丸を発射する瞬間ではブロウバック効果をまったく感じられない。一方、現在見かけるブロウバック効果を擬似再現可能な電動ガンはピストンの往復運動またはその他方式で振動を発生させて（例えば、偏心輪を回動させる）、トイガンが射撃するときに振動効果を持たせているが、なお真正銃のブロウバック迫力にははるかに及ばず、その効果の不足は明らかである。
【０００３】
この他に、公知のボルト内部で押し込む働きを担う引金装置（ピストン）の弾性素子（ばね）は一定の回数を経過すると弾性疲労を引き起こし、ボルトを取り外して整備及び交換をしなければならない。しかし、公知技術のボルトの構造設計は、内部の弾性素子をボルトの後部端から簡単に取り出すことはできず、ボルトのハウジングごとを取りはずさない限り、内部の弾性素子を交換できない。このように、取り外しと保守に不便と困難の問題が発生している。容易に取り外したり元通りに組み戻したりできないという問題がある。
【先行技術文献】
【特許文献】
【０００４】
【特許文献１】米国特許ＵＳ８５８５４０７号
【特許文献２】ＵＳ７６９４４４８号
【特許文献３】ＵＳ２０１２０１３８０３８号
【考案の概要】
【考案が解決しようとする課題】
【０００５】
本考案は、ボルト構造を改良することによって、公知の電動ガンの振動再現効果の不足、および、ボルト内部素子の交換が難しい問題を克服し、ブロウバック振動効果の擬似的再現ができると共に、取り外しなどの保守を簡便にできる電動ガンのボルトを提供することを目的とする。
【課題を解決するための手段】
【０００６】
本考案は公知電動ガンのボルトの技術欠点を改善し前記目的の達成を図るために、電動ガンのボルトの好ましい技術手段は、
内部にボルトチャンバーを形成し、その後部端がボルトチャンバーに連絡する整備穴を有するハウジングと、
ボルトチャンバーに内設しているシリンダーと、
シリンダーに内設され、前方に空気を圧縮して弾丸を撃発し、その後部端が整備穴に対応していて、後部端に爪体を有するピストンと、
ハウジングの後部端に結合していて、かつ整備穴に連絡する案内チューブと、
案内チューブの内部に可動に設けられていて、その第１端が整備穴を通過してボルトチャンバーの内部にて爪体に対応していて、第１端が爪体に引っ掛けて前方に駆動され、第２端が釣合重りに結合する撃棒と、
ボルトチャンバーに内設していて、ピストンを前方に押し出し、第１端がピストンに当接して、第２端が撃棒に直接的または間接的に当接する第１弾性素子と、
案内チューブに内設していて、第１端を案内チューブの後部端に接続し、第２端を釣合重りに接続して、釣合重りにブロウバックに作用し振動を形成する第２弾性素子と、を備える。
【０００７】
前述電動ガンのボルトは、
チューブ状の係止ブッシングを備え、
係止ブッシングを撃棒の第１端の棒体部に装着した状態でボルトチャンバー内部に位置させ、
係止ブッシングの外周部に第１係止部を突設し、コイルばねである第１弾性素子を係止ブッシングに装着し、第１弾性素子の第２端を第１係止部に当接させる。
【０００８】
前述電動ガンのボルトは、チューブ状のシャフトスリーブを備え、
シャフトスリーブを後部端から取り外せるように整備穴の内部に取り付け、撃棒の第１端がシャフトスリーブを通過して、ボルトチャンバーの内部に位置する。
【０００９】
本考案の電動ガンのボルト構造の改良は、第２弾性素子の設置と、案内チューブ内部の撃棒と釣合重り構造を合わせて、弾丸を打ち出すときに、引金装置が撃棒を駆動し前進させた上、撃棒が後部端に衝撃力量を形成して、真正銃が弾丸を射撃するときのブロウバック振動の類似効果を形成し、公知電動ガンによる振動効果が弱い課題を解決できる。
さらに、本考案の構造を改良し、保守するときは案内チューブを取り外して、撃棒と、シャフトスリーブと、係止ブッシングと、第１弾性素子を後ろ側のハウジング後部端の整備穴から引き抜いて、弾性素子の交換に便利を提供ししているため、取り外し保守が簡単に行える効果を達成できる。
【００１０】
本考案の電動ガンのボルトにおいて、ハウジング１には引金装置２と第1弾性素子６とが内設されている。引金装置は空気を圧縮するピストンを有し、ピストンの後部端に爪体を有する。第１弾性素子はピストンを前方に押し込む。
ハウジングの後部端には部品を抜き出して交換するための整備穴が設けられ、整備穴の外端部に案内チューブを接続し、案内チューブの内部に撃棒を取り付け、撃棒の先端部がピストンの爪体対応しており、後部端に釣合重りを設け、釣合重りに作用する第２弾性素子をさらに設ける。これにより、ピストンが後方に移動したときは爪体によって撃棒をつかみ、さらに第１弾性素子によって、ピストンを前方に移動させ空気を圧縮させ、爪体によって撃棒、釣合重りが一体的に前方に移動し、爪体を離したときに、撃棒と釣合重りが第１と第２弾性素子の働きによって、後ろ側へ素早く元の位置に戻り、射撃するときのブロウバック振動効果を擬似再現する。
【図面の簡単な説明】
【００１１】
【図１】本考案の好ましい実施例の組み合わせ断面図である。
【図２】本考案の電動ガンの好ましい実施例の立体分解断面図である。
【図３】本考案の電動ガンの好ましい実施例による第１動作を示す図である。
【図４】本考案の電動ガンの好ましい実施例による第２動作を示す図である。
【図５】本考案の電動ガンの好ましい実施例による第３動作を示す図である。
【図６】本考案もう一つの好ましい実施例における第２弾性素子の断面図である。
【考案を実施するための形態】
【実施例】
【００１２】
図１と２を参照する。
本考案の電動ガンのボルトは、プラスチック弾丸（ＢＢ弾）を発射する電動ガンのボルトに用いる。
そのうち、好ましい具体例としては、ハウジング１は、２つのハーフシェル１１を対向して組み合わされ、ハウジング１の内部に他の機構を取り付けるボルトチャンバー１２が形成され、後部端１３はボルトチャンバー１２に連絡する整備穴１４を有し、その先端部１５はバレルの組み付けに提供し、下端部１６はグリップの取付けに提供する。
前方に空気を圧縮することによって弾丸を発射させ、かつ撃棒５を駆動して振動力量を形成する引金装置２は、シリンダー２１と、ピストン２２を含む。
シリンダー２１をボルトチャンバー１２の内部に結合していて、ピストン２２の押し込みによって、ハウジング１の先端部１５に気体を送り出し、ピストン２２はシリンダー２１の内部に取り付けられ、前に移動したとき、空気を前方に圧縮して弾丸を発射させ、後ろ側はハウジング１後部端１３の整備穴１４に対応しており、ピストン２２の内部はさらに後部端向きの爪体２３を設けられ、爪体２３によって後部端の撃棒５をつかみ（引っ掛ける）、その先端部をピストン２２の内部に結合し、後部端に留め穴２３１を設け、留め穴２３１の周りに複数のナックル２３２を形成する。
これにより、留め穴２３１とナックル２３２を利用して撃棒５をつかみ、撃棒５とピストン２２を合わせて前方に移動させ、撃棒５が爪体２３のナックル２３２から離れたとき、撃棒５は後ろに衝撃する力量を形成する。
好ましくは中空状のチューブ体を形成し、その先端部をハウジング１の後部端１３に結合して、整備穴１４に連絡する案内チューブ４と、
可動に案内チューブ４の内部に穿設され、第１端５１が整備穴１４を通過して、ボルトチャンバー１２の内部に位置し、ピストン２２の爪体２３のつかみに提供し、第２端５２はねじ締め付け構造５４によって釣合重り５３に結合している撃棒５と、
案内チューブ４の内部にて往復に移動して振動を再現する釣合重り５３と、
ボルトチャンバー１２の内部に設けられ、一端が引金装置２のピストン２２に当接していて、もう一端が撃棒５に当接して、ピストン２２を前に押し込み空気を圧縮することによって、プラスチック弾丸を発射させる第１弾性素子６と、
案内チューブ４の内部に設けられ、第１端が案内チューブ４の後部端に接続し、第２端が撃棒５の釣合重り５３に接続して、撃棒５と釣合重り５３を後ろ側に移動させて、ボルトに衝撃し振動効果を与える第２弾性素子７と、を備えて、本考案電動ガンのボルトを構成する。
【００１３】
引き続き、図１と２に示すように、本考案の好ましい実施例は、チューブ状の係止ブッシング８と、シャフトスリーブ９と、をさらに含む。
係止ブッシング８を撃棒５の第１端５１の棒体部に装着することによって、第１弾性素子６のもう一端を係止ブッシング８に当接させる。
好ましくは、係止ブッシング８の外周部に突起リング状の第１係止部８１を設け、かつ、コイルばねである第１弾性素子６を係止ブッシング８に装着させ、第１弾性素子６のもう一端を第１係止部８１に係止しておく。
シャフトスリーブ９をハウジング１後部端の整備穴１４に取り付けて、整備穴１４を閉鎖し、さらに、シャフトスリーブ９を整備穴１４から取り外せるようにしておき、撃棒５の第１端５１はシャフトスリーブ９を通過して、ボルトチャンバー１２に位置する。
さらに、取り外して保守したいときには、シャフトスリーブ９を後ろ移動させて取り出し、係止ブッシング８、第１弾性素子６および第２弾性素子７などを取り出す。
【００１４】
さらに、図１と図２に示すように、本考案の前述釣合重り５３の後部端には例えば、収容室５３１を凹設しても良い。
第２弾性素子７は具体的に引張りばねとし、引張りばねの第１端を案内チューブ４の後部端に接続し、第２端を撃棒５収容室５３１の内部に接続する。
これにより、前述ピストン２２の爪体２３が撃棒５を離したときは、撃棒５と釣合重り５３をすばやく後方に引っ張り、衝撃振動の効果を形成する。
図６に示すように、第２弾性素子７は例えば圧縮ばねとし、圧縮ばねの第１端を案内チューブ４の後部端に当接させ、第２端を撃棒５収容室５３１内部に当接させてもよい。釣合重り５３が振動し、ブロウバックの反動振動効果を形成する。
【００１５】
さらに、図１と図２に示すように、本考案のボルト１の後部端１３は、円柱状の接続突起部１７を一体成形または組み付けても良い。
これにより、前述整備穴１４を接続突起部１７に取り付けて、接続突起部１７からボルトチャンバー１２に連絡することによって、案内チューブ４の先端部を接続突起部１７に結合させることができる。
そのうち、本考案は接続突起部１７の外周部に第１ねじ山１７１を設け、案内チューブ４の先端部に第１ねじ山１７１と互いにねじ込み接続する第２ねじ山４１を設けることが好ましい。
さらに、案内チューブ４の後部端には、係止プラグ４２をさらに結合させても良い。
好ましくは案内チューブ４の後部端に第３ねじ山４３を設けて、係止プラグ４２に第３ねじ山４３と互いにねじ込み接続する第４ねじ山４４を設ける。これにより、案内チューブ４の先端部から取り外すか、または後部端の係止プラグ４２から取り外し、整備穴１４の後ろから撃棒５、係止ブッシング８、第１弾性素子６および第２弾性素子７などを取り外して、保守と交換が便利である。
【００１６】
引き続き、図３に示すように、本考案を使用するときには、ボルト１内部のモータ（図示しない）によって歯車１０を駆動し、歯車１０がさらにピストン２２の片側のラックギヤ２２１を駆動し、ピストン２２が後ろに移動すると同時に、ピストン２２内部の爪体２３と撃棒５の第１端５１が掴みあうように第１弾性素子６を圧縮する。
引き続き図４に示すように、歯車１０が歯を有しない区域１０１に回転されたときに、ピストン２２を後ろ移動させる力量が解除される。
このとき、第１弾性素子６の弾力を利用して、ピストン２２を前方に空気を圧送し、釣合重り５３が接続突起部１７の後部端に当接されるまで、ピストン２２、撃棒５および釣合重り５３が一体的に移動する。
引き続き図５に示すように、釣合重り５３が前進して、接続突起部１７の後部端に当接したとき、ピストン２２内部の爪体２３は第１弾性素子６の押し込み力によって、撃棒５の第１端５１を分離し、さらに第１弾性素子６と第２弾性素子７とが撃棒５と釣合重り５３を案内チューブ４の後部端に押し込み、撃棒５の釣合重り５３が案内チューブ４後部端の係止プラグ４２に衝突する。
これにより、本考案電動ガンのボルトが弾丸を発射するときに、撃棒５の釣合重り５３が往復に運動して、真正銃が弾丸を発射するときのブロウバック振動効果を擬似再現できる。
【符号の説明】
【００１７】
１    ハウジング
１１    ハーフシェル
１２    ボルトチャンバー
１３    後部端
１４    整備穴
１５    先端部
１６    下端部
１７    接続突起部
１７１    第１ねじ山
２    引金装置
２１    シリンダー
２２    ピストン
２２１    ラックギヤ
２３    爪体
２３１    留め穴
２３２    ナックル
４    案内チューブ
４１    第２ねじ山
４２    係止プラグ
４３    第３ねじ山
４４    第４ねじ山
５    撃棒
５１    第１端
５２    第２端
５３    釣合い重り
５３１    収容室
５４    ねじ山締め付け構造
６    第１弾性素子
７    第２弾性素子
８    係止ブッシング
８１    第１係止部
９    軸スリーブ
１０    歯車
１０１    歯を有しない区域
【図１】
0003195670.tif 000003
【図２】
0003195670.tif 000004
【図３】
0003195670.tif 000005
【図４】
0003195670.tif 000006
【図５】
0003195670.tif 000007
【図６】
0003195670.tif 000008